(57)【特許請求の範囲】
【請求項１】
電気機器を収容する分電盤などの箱体内部にて母線導体、端子台などの内装部材を支持させる支持部と、固定ねじを貫挿し箱体内部へ固定する固定部とを並設して取付具本体を形成し、支持部及び／又は固定部の内装部材の支持面側、その支持面裏側の箱体内部への取付面に、取付具本体どうしを重ね合わせて相互に位置決めさせる凹所、凸所をそれぞれ設けた絶縁物で成る盤用部材取付具において、
前記取付具本体の表裏両面に支持部を形成し、固定部の表裏何れかの一面側に、内装部材の支持面より突出するよう前記取付面を形成したことを特徴とする盤用部材取付具。
【請求項２】
固定部を、前記固定ねじの座面が前記支持面より取付面側となるよう形成した請求項１記載の盤用部材取付具。
【発明の詳細な説明】
【０００１】
【発明の属する技術分野】
本発明は、電気機器を収容する分電盤などの箱体内部にて母線導体、端子台などの内装部材を支持し取り付ける盤用部材取付具に関するものである。
【０００２】
【従来の技術】
従来から、図７に示す如く、分電盤や制御盤などの電気機器を収容する箱体内部においては、分岐開閉器９１やリレーなどの電気機器とは別に、その箱体の外部電線と内部電線との中継を行う中継用の端子台７ｃや、分電盤の幹線送りを行う母線導体、集合アース７ｂ、あるいは引き込みケーブル（図示せず）を支持するためのサポート具７ｄなどの内装部材が設けられて、箱体内部の電気的な接続が成される。上記の内装部材の取付には、図８（ａ）乃至（ｆ）に示すような、各種の盤用部材取付具Ａ１乃至Ｅが適宜使用されている。
【０００３】
【発明が解決しようとする課題】
しかしながら、上記従来の技術においては、Ａ１，Ａ２のような補助金具、Ｂの金属材料製のポスト、Ｃの樹脂材料製のサポート、Ｄの樹脂材料製のニュートラル受け、Ｅの樹脂材料製のメインバー受け台、あるいはＦの機器上げ金具等、それぞれ異なる品種の盤用部材取付具が、内装部材毎に適宜選択されて設けられている。さらに、顧客から個別に仕様付けされた、特注品となる特殊仕様の分電盤や制御盤においては、特殊な高さ仕様あるいは特殊な盤用部材に対応した盤用部材取付具を新たに設計する必要もあった。そのため、特殊仕様の分電盤や制御盤の費用見積もりに多くの時間を要するという問題があった。
【０００４】
また、箱体内部に異なる盤用部材取付具が数多く用いられた場合には全体の統一感に欠け、更に、盤設計あるいは配線設計にも多くの時間を要して、分電盤や制御盤がコストアップするという問題もあった。
【０００５】
本発明は、上記事由に鑑みてなしたもので、その目的とするところは、各種盤用部材を適宜取り付けることができて、特殊仕様の分電盤や制御盤の設計あるいは見積もりも短時間におこなうことのできる盤用部材取付具を提供することにある。
【０００６】
【課題を解決するための手段】
上記目的を達成するために、本発明の盤用部材取付具にあっては、電気機器を収容する分電盤などの箱体内部にて母線導体、端子台などの内装部材を支持させる支持部と、固定ねじを貫挿し箱体内部へ固定する固定部とを並設して取付具本体を形成し、支持部及び／又は固定部の内装部材の支持面側、その支持面裏側の箱体内部への取付面に、取付具本体どうしを重ね合わせて相互に位置決めさせる凹所、凸所をそれぞれ設けた絶縁物で成る盤用部材取付具において、前記取付具本体の表裏両面に支持部を形成し、固定部の表裏何れかの一面側に、内装部材の支持面より突出するよう前記取付面を形成したことを特徴としている。
【０００７】
この構成にて、箱体内部にて、母線導体、端子台などの内装部材が、絶縁物で成る取付具本体どうしを、それに並設された内装部材を支持させる支持部及び／又は固定ねじを貫挿し箱体内部へ固定する固定部の内装部材の支持面側、その支持面裏側の箱体内部への取付面に設けられた凹所、凸所にて位置決めし重ね合わせて支持させ取り付けできる。また、固定部の表裏何れかの一面側に、内装部材の支持面より突出するよう形成された取付面を箱体内部に当接させ固定ねじにてねじ固定させ、取付具本体の表裏両面に形成された支持部にて母線導体、端子台などの内装部材が支持される。
【０００８】
そして、上記固定部を、前記固定ねじの座面が前記支持面より取付面側となるよう形成することが好ましい。この場合、取付具本体が、その座面を前記支持面より取付面側となるよう形成された固定部に固定ねじを貫挿させ、母線導体、端子台などの内装部材が支持され取り付けされる。
【００１２】
【発明の実施の形態】
図１乃至図６は、本発明の請求項１乃至５全てに対応する一実施の形態を示し、図１は、本発明の一実施の形態の盤用部材取付具の概略構成を示す説明図、図２は、同盤用部材取付具を示す側面図、図３は、同盤用部材取付具の使用状態の概要を示す説明図、図４は、同盤用部材取付具の使用状態の概要を示す他の説明図、図５は、同盤用部材取付具を固定する際の作用を示す説明図で、（ａ）は取付面、（ｂ）は固定ねじによる加重状態を示す。図６は、同盤用部材取付具の使用状態の詳細を示す説明図である。
【００１３】
この実施の形態の盤用部材取付具は、図３に示すように、電気機器（９）を収容する分電盤などの箱体８内部にて母線導体７ａ、端子台７ｃなどの内装部材７を支持し取り付ける絶縁物で成る盤用部材取付具であって、図１に示すように、内装部材７を支持させる支持部２と、固定ねじ６を貫挿し箱体８内部へ固定する固定部３とを並設して取付具本体１を形成し、支持部２及び固定部３の内装部材７の支持面２ａ側、その支持面２ａ裏側の箱体８内部への取付面に、取付具本体１どうしを重ね合わせて相互に位置決めさせる凹所４、凸所５をそれぞれ設けてなる。
【００１４】
又、該実施の形態の盤用部材取付具においては、固定部３を、前記固定ねじ６の座面３ａが前記支持面２ａより取付面側となるよう形成してもいる。又、該実施の形態の盤用部材取付具においては、前記凹所４を取付面側に設け、取付面となるその凹所４周囲を略線状としてもいる。
【００１５】
詳しくは、この盤用部材取付具は、例えば図３に示すような、分電盤の箱体８や制御盤と呼ばれている制御ボックスの内部において、各種の内装部材７を１種類のものにて支持し取り付けることができるようにしたもので、例えばＡＢＳ樹脂、ポリプロピレン樹脂等の合成樹脂材料を絶縁物として用いた、支持部２及び固定部３を一体成形した取付具本体１で成る。なお、この取付具本体１は、内装部材（７）としては、上記以外に、同図に示すように、箱体８側部に設けられる側面集合アース７ｂ、箱体８上下において引き込みケーブル１０を支持するためのサポート具７ｄ、外部電線となる制御線１１を中継接続する中継端子、機器用の集合アース板を支持する支持基板７ｅ等を効果的に支持させることができる。
【００１６】
取付具本体１は、図１に示すように、上記内装部材７の支持面側となる支持部２及び固定部３の上面には、取付具本体１，１相互をを重ね合わせて位置決めさせる凸所５，５が、リブ状及び筒状をもって一体化され、また、当該支持部２及び固定部３がその上部から下部にいくにしたがって寸法的に大きくなるよう、緩やかな勾配をもって形成されている。
【００１７】
この支持部２の凸所５は、図２に示すように、凸所５の内側を切り欠いて内装部材７の支持面２ａ、２ａとし、また、下側の支持面２ａの略中心位置には、内装部材７固定用の雌ねじ２１が設けられている。したがって、母線導体７ａ、側面集合アース７ｂなどの板状の内装部材７をその支持面２ａにて位置決め支持させることができ、また、同図に示すように支持面２ａを２段としているので、幅寸法の異なる種類の母線導体７ａ、側面集合アース７ｂを容易に支持させ固定することも可能となって使い勝手が良い。
【００１８】
箱体８への取付面となる支持面２ａの裏側は、凹所４となる中空状部分となっている。そして、図５（ａ）に示すように、この場合、支持部２及び固定部３の周囲の線状部分が箱体８内部の取付面に当接する。したがって、後述する固定部３に固定ねじ６を設けてねじ固定する際に、取付面に固定加重を集中させることとなって、取付具本体１が、より強固に、また合成樹脂のばね性によって緩みにくく固定される。また、この取付具本体１においては、裏面側の凹所４の内側を切り欠いて、表裏両面を、母線導体７ａ、側面集合アース７ｂなどの板状の内装部材７を位置決め支持させる支持部としている。
【００１９】
固定部３は、固定ねじ６を貫挿し箱体８内部へ固定する部分で、この場合、支持部２と略同一高さをもって略円筒状に形成され並設されている。この固定部３には、貫通孔３１をもった固定ねじ６の座面３ａが、図５（ｂ）に示すように、上記支持面２ａより裏側、すなわち取付面側となるようその円筒の略中間位置となるよう設けられている。また、このものにおいては、固定部３の凸所５よりさらに突出させて、この取付具本体１を反転させて固定する際に取付面となる、リブ状の取付突起３２，３２が設けられている。
【００２０】
上記の盤用部材取付具においては、母線導体７ａ、側面集合アース７ｂを設ける場合、図３に示すように、箱体８内部の電気機器９として、分岐開閉器９１や主開閉器９２などを配設させる機器基板８１や、木板（図示せず）に取付具本体１を固定させ使用することができる。なお、この機器基板８１は、例えば２５ｍｍ間隔にて各種盤用機器類を取り付けるための取付孔が所定間隔をもって穿設された側面視略コ字状の長尺状板金部材で、その上下端部が箱体８の背面板にねじ固定されている。したがって、取付具本体１は固定ねじ６を螺着させてこの機器基板８１へ固定される。
【００２１】
また、箱体８内部にパネルカバーを設けて（図示せず）、このパネルカバーに設けられた小開口から分岐開閉器９１や主開閉器９２の操作部となる操作ハンドル９１ａを露出させる場合、図４に示すような、機器上げ金具をもった基板ユニット８２が使用される。このような場合、取付具本体１をその凹所等適宜位置に基板ユニット８２に固定させ、母線導体７ａを設けることができる。
【００２２】
この実施の形態の盤用部材取付具を箱体８内部にて使用する場合、母線導体７ａを固定する際には、絶縁物で成る取付具本体１，１どうしを、それに並設された母線導体７ａを支持させる支持部２、及び固定ねじ６を貫挿し箱体内部へ固定する固定部３の内装部材の支持面２ａ側、その支持面２ａ裏側の箱体内部への取付面に設けられた凹所４へ凸所５が接合されて位置決めされ重ね合わせて使用する。そして、支持面２ａに支持させて支持面２ａに設けられている雌ねじ２１へ固定ねじ６を螺着させ、図６（ａ）に示すように、機器基板８１へ取り付けできる。
【００２３】
このとき、図２に示したように、内装部材７である母線導体７ａが、その支持面２ａ側となる凸所５内側を切り欠いた支持面２ａにて位置決め支持され、また、取付具本体１は、図５（ａ）に示すように、略線状に形成された取付面となる凹所４周囲を箱体８内部に設けられた機器基板８１に当接させて、固定ねじ６にて固定加重を集中させ、より強固に、また材料のばね性によって緩みにくくねじ固定される。また、取付具本体１は、図５（ｂ）に示すように、その座面３ａを前記支持面２ａより取付面側となるよう形成された固定部３に固定ねじ６を貫挿されているので、図６（ａ）に示すように母線導体７ａを支持させる際に、それと金属材料製の固定ねじ６との間の空間距離、沿面距離が大きく取られることとなる。なお、この取付具本体１は、その上部から下部にいくにしたがって寸法的に大きくなるよう緩やかな勾配をもって形成されいるので、固定ねじ６を締め付けたとき、凹所４周囲の上下にわたって（図５（ｂ）に示す斜線部）固定加重が分散されて、材料のばね性がより効果的に発現される。
【００２４】
なお、内装部材７として、端子台７ｃを支持する際には、図６（ｂ）に示すように、まず、ＤＩＮレールと呼ばれる固定用レール７ｆを支持面２ａにて位置決め支持させ、その固定用レール７ｆを介して端子台７ｃを支持させ取り付けることができる。
【００２５】
また、前述のように取付具本体１を基板ユニット８２に固定させ、母線導体７ａを設ける際や、図６（ｃ）、（ｄ）に示すように、機器基板８１の凹凸のある部分、あるいは図６（ｅ）に示すように機器基板８１の狭い部分に取付具本体１を配置し母線導体７ａを設ける際には、固定部３の表側に、内装部材７の支持面２ａより突出するよう形成された取付突起３２，３２先端を取付面として、箱体内部となる機器基板８１に当接させ固定ねじ６にてねじ固定させ、取付具本体１の裏面に形成された支持部にて母線導体７ａを支持させることができる。
【００２６】
したがって、以上説明した盤用部材取付具によると、箱体８内部にて、母線導体７ａ、端子台７ｃなどの内装部材７が、絶縁物で成る取付具本体１どうしを、それに並設された内装部材７を支持させる支持部２及び固定ねじ６を貫挿し箱体８内部へ固定する固定部３の内装部材７の支持面２ａ側、その支持面２ａ裏側の箱体８内部への取付面に設けられた凹所４、凸所５にて位置決めし重ね合わせて支持させ取り付けできるので、各種盤用部材を適宜取り付けることができて、特殊仕様の分電盤や制御盤の設計あるいは見積もりも短時間におこなうことができる。
【００２７】
そして、取付具本体１が、その座面３ａを前記支持面２ａより取付面側となるよう形成された固定部３に固定ねじ６を貫挿させ、母線導体７ａ、端子台７ｃなどの内装部材７が支持され取り付けされるので、母線導体７ａを支持させる際に、それと金属材料製の固定ねじ６との間の空間距離、沿面距離を大きく取って電気的に良好に絶縁される。また、取付具本体１は、略線状に形成された取付面となる凹所４周囲を箱体８内部に当接させ固定ねじ６にてねじ固定されるので、ねじ固定する際に、取付面に固定加重を集中させてより強固に、また材料のばね性によって緩みにくく固定できる。
【００２８】
また、上記のような内装部材７が、内装部材７の支持面側となる凸所５内側を切り欠いた支持面２ａにて位置決め支持されるので作業性が良好で、しかも、固定部３の表側に、内装部材７の支持面より突出するよう形成された取付面を箱体８内部に当接させ固定ねじ６にてねじ固定させ、取付具本体１の表裏両面に形成された支持部にて母線導体７ａ、端子台７ｃなどの内装部材７が支持されるので、例えば凹所として形成された固定面などに良好に固定させることも可能となって使い勝手は良好である。
【００２９】
なお、本発明は、取付具本体１が上記に示されたもの以外の各種形態をもって形成されたものを含むことは言うまでもない。
【００３０】
【発明の効果】
本発明は、上述の実施態様の如く実施されて、請求項１記載の盤用部材取付具にあっては、箱体内部にて、母線導体、端子台などの内装部材が、絶縁物で成る取付具本体どうしを、それに並設された内装部材を支持させる支持部及び／又は固定ねじを貫挿し箱体内部へ固定する固定部の内装部材の支持面側、その支持面裏側の箱体内部への取付面に設けられた凹所、凸所にて位置決めし重ね合わせて支持させ取り付けできるので、各種盤用部材を適宜取り付けることができて、特殊仕様の分電盤や制御盤の設計あるいは見積もりも短時間におこなうことができる。また、固定部の表裏何れかの一面側に、内装部材の支持面より突出するよう形成された取付面を箱体内部に当接させ固定ねじにてねじ固定させ、取付具本体の表裏両面に形成された支持部にて母線導体、端子台などの内装部材が支持されるので、例えば凹所として形成された固定面などに良好に固定させることも可能となって使い勝手は良好である。
【００３１】
また、請求項２記載の盤用部材取付具にあっては、取付具本体が、その座面を前記支持面より取付面側となるよう形成された固定部に固定ねじを貫挿させ、母線導体、端子台などの内装部材が支持され取り付けされるので、母線導体を支持させる際に、それと金属材料製の固定ねじとの間の空間距離、沿面距離を大きく取って電気的に良好に絶縁される。
【図面の簡単な説明】
【図１】本発明の一実施の形態の盤用部材取付具の概略構成を示す説明図である。
【図２】同盤用部材取付具を示す側面図である。
【図３】同盤用部材取付具の使用状態の概要を示す説明図である。
【図４】同盤用部材取付具の使用状態の概要を示す他の説明図である。
【図５】同盤用部材取付具を固定する際の作用を示す説明図で、（ａ）は取付面、（ｂ）は固定ねじによる加重状態を示す。
【図６】同盤用部材取付具の使用状態の詳細を示す説明図である。
【図７】盤用部材取付具の説明図である。
【図８】本発明の従来例である盤用部材取付具を示す図である。
【符号の説明】
１    取付具本体
２    支持部
２ａ  支持面
３    固定部
３ａ  座面
４    凹所
５    凸所
６    固定ねじ
７    内装部材
７ａ  母線導体
７ｃ  端子台
８    箱体
９    電気機器
【図１】
0003788210.tif 000002
【図２】
0003788210.tif 000003
【図３】
0003788210.tif 000004
【図４】
0003788210.tif 000005
【図５】
0003788210.tif 000006
【図６】
0003788210.tif 000007
【図７】
0003788210.tif 000008
【図８】
0003788210.tif 000009